(57)【要約】【課題】防塵機能を有する光学スキャン装置を提供する。【解決手段】本考案の光学スキャン装置は、殻体が第１収容室を有し、第１収容室内に光学スキャンモジュールを実装し、第１収容室情報に連通する第２収容室を形成し、第１収容室および第２収容室の境界に開口窓を有し、第２収容室の前端内縁にガラスプラットフォームを固定できる嵌合溝を設けてなり、校正ホワイトボードは、プラットフォーム底面に粘着固定してなる。ガラスプラットフォームを殻体に組み込む時、クリーンルーム内で粘着部材を使用し、ガラスプラットフォームを殻体の第２収容室の嵌合溝中に粘着固定する。これにより、ガラスプラットフォームが一体に組み立てられた後に焦点距離の調整を行うので、光学スキャン装置が後段の組み立て過程において塵が入ることが無い。【選択図】図３
0003135791.tif 000002
【実用新案登録請求の範囲】
【請求項１】
開口窓を有し、走査線を通過させる殻体と、
前記殻体内に実装する光学スキャンモジュールと、
クリーンルーム内で、粘着部材により殻体上に粘着固定してなるガラスプラットフォームと、
を含む光学スキャン装置。
【請求項２】
前記光学スキャンモジュールがＣＣＤ（電荷結合素子）スキャンモジュールである請求項１記載の光学スキャン装置。
【請求項３】
更に粘着部材によりガラスプラットフォーム底面に粘着固定してなる校正ホワイトボードを含む請求項１記載の光学スキャン装置。
【請求項４】
前記粘着部材が両面テープである請求項１または３記載の光学スキャン装置。
【請求項５】
両面スキャン機能を備えるスキャナーに使用し、
下部に位置する第１光学スキャン装置と上部に位置する第２光学スキャン装置を含み、第２光学スキャン装置が第１光学スキャン装置上方に設置され、各光学スキャン装置がいずれも：
第１収容室を有し、第１収容室上方に相互に連通する第２収容室を形成し、第１収容室と第２収容室との境界には、開口窓を有し、走査線を通過させてなる殻体と、
第１収容室内に実装する光学スキャンモジュールと、
クリーンルーム内で、粘着部材により殻体上に粘着固定してなるガラスプラットフォームと、
を含む光学スキャン装置。
【請求項６】
前記光学スキャンモジュールがＣＣＤ（電荷結合素子）スキャンモジュールである請求項５記載の光学スキャン装置。
【請求項７】
更に粘着部材によりガラスプラットフォーム底面に粘着固定してなる校正ホワイトボードを含む請求項５記載の光学スキャン装置。
【請求項８】
前記粘着部材が両面テープである請求項５または７記載の光学スキャン装置。
【請求項９】
開口窓を有し、走査線を通過させる殻体と、
前記殻体内に実装する光学スキャンモジュールと、
殻体の上方に被せ合わせてなる上蓋と、
粘着部材により載置台および上蓋に貼り合わせてなる隔絶材と、
粘着部材により殻体上に粘着固定してなるガラスプラットフォームと、
上蓋上方に被せ合わせてなる外蓋と、
を含む光学スキャン装置。
【請求項１０】
前記殻体の下方に底蓋を実装し、殻体の底部を密閉し、前記殻体の上方に載置台を設置してなる請求項９記載の光学スキャン装置。
【請求項１１】
前記光学スキャンモジュールがＣＣＤ（電荷結合素子）スキャンモジュールである請求項９記載の光学スキャン装置。
【請求項１２】
前記隔絶材がスポンジプラスチック材料である請求項９記載の光学スキャン装置。
【請求項１３】
更に粘着部材によりガラスプラットフォーム底面に粘着固定してなる校正ホワイトボードを含む請求項９記載の光学スキャン装置。
【請求項１４】
前記粘着部材が両面テープである請求項９または１３記載の光学スキャン装置。
【請求項１５】
前記載置台は四角付近に外向きに係止板を凸伸してなり、上蓋の対応箇所に下向きに係止柱を凸伸してなり、弾性部材の一端は、上蓋の係止柱中に被せてなり、他端は、載置台の係止板上に係止してなる請求項１０記載の光学スキャン装置。
【請求項１６】
両面スキャン機能を備えるスキャナーに使用し、
下部に位置する第１光学スキャン装置と上部に位置する第２光学スキャン装置を含み、第２光学スキャン装置が第１光学スキャン装置上方に設置され、各光学スキャン装置がいずれも：
第１収容室を有し、第１収容室上方に相互に連通する第２収容室を形成し、第１収容室と第２収容室との境界には、開口窓を有し、走査線を通過させてなる殻体と、
前記殻体の第１収容室上方に設置され、第２収容室を形成する載置台と、
第１収容室内に実装する光学スキャンモジュールと、
殻体の上方に被せ合わせてなる上蓋と、
粘着部材により載置台および上蓋に貼り合わせてなる隔絶材と、
粘着部材により殻体上に粘着固定してなるガラスプラットフォームと、
上蓋上方に被せ合わせてなる外蓋と、
２つの光学スキャン装置の外蓋が一定の距離を隔てて形成するシート経路と
を含む光学スキャン装置。
【請求項１７】
前記殻体の下方に底蓋を実装し、第１収容室を密閉してなる請求項１６記載の光学スキャン装置。
【請求項１８】
前記光学スキャンモジュールがＣＣＤ（電荷結合素子）スキャンモジュールである請求項１６記載の光学スキャン装置。
【請求項１９】
前記隔絶材がスポンジプラスチック材料である請求項１６記載の光学スキャン装置。
【請求項２０】
更に粘着部材によりガラスプラットフォーム底面に粘着固定してなる校正ホワイトボードを含む請求項１６記載の光学スキャン装置。
【請求項２１】
前記粘着部材が両面テープである請求項１５または２０記載の光学スキャン装置。
【請求項２２】
前記載置台は四角付近に外向きに係止板を凸伸してなり、上蓋の対応箇所に下向きに係止柱を凸伸してなり、弾性部材の一端は、上蓋の係止柱中に被せてなり、他端は、載置台の係止板上に係止してなる請求項１６記載の光学スキャン装置。
【考案の詳細な説明】
【技術分野】
【０００１】
本考案は、光学スキャン装置に関し、特にスキャナー、プリンターまたはファクシミリ等のオフィス装置に応用する防塵機能を有する光学スキャン装置に関する。
【背景技術】
【０００２】
現代のオフィスの日常作業中、各オフィス映像処理装置、例えば、スキャナー、プリンターおよびファクシミリ等は、必要不可欠なオフィス装置となっている。
【０００３】
図１は、従来の両面スキャン機能を有するスキャナー３０の説明図である。該スキャナー３０は、底蓋３０１および上蓋３０２を有し、底蓋３０１下方には、第１光学機構５を設けてなり、上蓋３０２上方には、第２光学機構６を設けてなる。第１光学機構５および第２光学機構６は、それぞれ、殻体５１，６１を設けてなり、殻体５１，６１内に収容空間５１１，６１１を形成し、光学スキャンモジュール５２，６２を収容し、殻体５１，６１の上端に開口窓５１２，６１２を開設し、走査線を通過させ、第１光学機構５の殻体５１の開口窓５１２に対応して底蓋３０１上にガラスプラットフォーム５３を設けてなり、上蓋３０２上に校正ホワイトボードを設けてなり、第２光学機構６の殻体６１の開口窓６１２に対応して上蓋３０２上にガラスプラットフォーム６３を設けてなり、底蓋３０１上に公正ホワイトボードを設けてなる。
【０００４】
但し、上記従来の両面スキャン機能を有するスキャナー３０は、２つの光学機構５，６のガラスプラットフォーム５３，６３がいずれも殻体５１，６１上の所定の位置に一体に設置されておらず、後段の組み込み過程において、殻体５１，６１内に塵が入りやすく、スキャン画像に模様が発生する現象を引き起こす。且つ上記スキャナー３０の第１光学スキャン機構５および第２光学スキャン機構６の校正ホワイトボード５４，６４は、いずれもそれぞれ対応する上蓋３０２または底蓋３０１上に実装し、２つの光学機構５，６が占める左右の距離範囲を大きくさせ、長さの短い書類をスキャンすることができなくなり、使用上大きな制限を受ける。また、２つの光学機構５，６のガラスプラットフォーム５３，６３は、対応する上蓋３０２または底蓋３０１上に固定し、底蓋３０１および上蓋３０２の間の上下距離を固定させ、一定の厚さの書類のみしかスキャンすることができず、上下の距離に対して調整を行うことができない。
【特許文献１】特許公表２００４−５１７４２７号公報
【考案の開示】
【考案が解決しようとする課題】
【０００５】
本考案の目的は、少なくとも殻体、ガラスプラットフォーム、光学スキャンモジュールおよび校正ホワイトボードから構成される光学スキャン装置を提供することである。
【課題を解決するための手段】
【０００６】
そのうち、殻体が第１収容室を有し、第１収容室内に光学スキャンモジュールを実装し、第１収容室情報に連通する第２収容室を形成し、第１収容室および第２収容室の境界に開口窓を有し、第２収容室の前端内縁にガラスプラットフォームを固定できる嵌合溝を設けてなり、校正ホワイトボードは、プラットフォーム底面に粘着固定してなる。ガラスプラットフォームを殻体に組み込む時、クリーンルーム内で粘着部材を使用し、例えば、両面テープ等であり、ガラスプラットフォームを殻体の第２収容室の嵌合溝中に粘着固定する。
【考案の効果】
【０００７】
本考案の光学スキャン装置のガラスプラットフォームと殻体は、クリーンルーム内で一体に組み立てた後、焦点距離を調整し、光学スキャン装置全体が後段の組み立て過程において塵が入ることがないようにし、防塵機能を有する光学スキャン装置を形成する。
【考案を実施するための最良の形態】
【０００８】
本考案の目的、効果、構造および特徴をより詳細で明確に理解するため、以下の好適な実施例を挙げ、図面にあわせて説明する。
【０００９】
図２において、本考案の光学スキャン装置は、スキャナー１０上に応用し、第１実施例中、同時にスキャン待ちシートの両面をスキャンできるスキャナー１０であり、したがって、該スキャナー１０は下部に位置する第１光学スキャン装置１および上部に位置する第２光学スキャン装置２を有する。
【００１０】
図２に示すように、第１光学スキャン装置１は、少なくとも殻体１１、ガラスプラットフォーム１２、光学スキャンモジュール１３および校正ホワイトボード１４から構成される。そのうち、殻体１１は、第１収容室１１１を有し、第１収容室１１１内には光学スキャンモジュール１３を実装してなり、本実施例中、光学スキャンモジュール１３は、ＣＣＤ（電荷結合素子）スキャンモジュールである。第１収容室１１１上方に相互に連通する第２収容室１１２を形成し、第１収容室１１１と第２収容室１１２の境界に開口窓１１３を有し、走査線を開口窓１１３、ガラスプラットフォーム１２およびスキャン待ちシート２０に通過させる。第２収容室１１２の前端内縁にガラスプラットフォーム１２を固定できる嵌合溝１１４を設けてなり、校正ホワイトボード１４は、ガラスプラットフォーム１２底面に粘着固定してなり、粘着接合方式は、両面テープを利用し粘着固定してなるが、その他の粘着固定方式を使用することもでき、例えば、粘着剤等である。
【００１１】
第２光学スキャン装置２は、少なくとも殻体２１、ガラスプラットフォーム２２、光学スキャンモジュール２３および校正ホワイトボード２４から構成される。そのうち、第２光学スキャン装置２は、第１光学スキャン装置１上方に設置し、２つの光学スキャン装置１，２のガラスプラットフォーム１２，２２を同一の垂直線に対応させ、且つ一定の距離を隔ててスキャン待ちシート２０を伝送通過させる。第２光学スキャン装置２の殻体２１は、第１収容室２１１を有し、第１収容室２１１内に光学スキャンモジュール２３を実装し、該光学スキャンモジュール２３はＣＣＤ（電荷結合素子）スキャンモジュールである。第１収容室２１１下方に相互に連通する第２収容室２１２を形成し、第１収容室２１１と第２収容室２１２の境界に開口窓２１３を有し、走査線を開口窓２１３、ガラスプラットフォーム２２およびスキャン待ちシート２０に通過させる。第２収容室２１２の前端内縁にガラスプラットフォーム２２を固定できる嵌合溝２１４を設けてなり、校正ホワイトボード２４が粘着部材によりガラスプラットフォーム２２底面に固定され、粘着部材は両面テープにてなることができ、その他の粘着部材、例えば、粘着剤等を使用することもできる。
【００１２】
図３に示すように、ガラスプラットフォーム１２，２２を殻体１１，２１上に組み込む時、まずクリーンルームで粘着部材を使用しガラスプラットフォーム１２，２２を殻体１１，２１の第２収容室１１２，２１２の嵌合溝１１４，２１４中に嵌合固定する。該粘着部材は両面テープまたはその他の粘着部材、例えば、粘着剤等であることができる。ガラスプラットフォーム１２，２２と殻体１１，２１を一体に組み立てた後、焦点距離の調整およびイメージホワイトの校正を行うことができ、校正時、第１光学スキャン装置１の走査線は、開口窓１１３、ガラスプラットフォーム１２を通過し、第２光学スキャン装置２のガラスプラットフォーム２２を貫通した後、第２光学スキャン装置２の校正ホワイトボード２４に達し、校正を行う。反対に、第２光学スキャン装置２の走査線も開口窓２１３、ガラスプラットフォーム２２を通過し、第１光学スキャン装置１のガラスプラットフォーム１２を通過した後、第１光学スキャン装置１の校正ホワイトボード１４に達する。
【００１３】
図４に示すように、本考案の第２実施例も、スキャン待ちシートの両面を同時にスキャンできるスキャナー４０であり、該スキャナー４０は、下部に位置する第１光学スキャン装置３および上部に位置する第２光学スキャン装置４を有する。２つの光学スキャン装置３，４の構成部材は同一であるので、本考案の図５中、ただ１組の光学スキャン装置のみ表示する。
【００１４】
図５、図６に示すように、本考案の実施例中、該第１光学スキャン装置３は殻体３１、底板３２、載置台３３、上蓋３４、ガラスプラットフォーム３５、外蓋３６、光学スキャンモジュール３７および校正ホワイトボード３８等から構成される。そのうち、殻体３１の下方に底蓋３２を有し、殻体３１の底部を密封し、殻体３１内部には第１収容室３１１を有し、第１収容室３１１内に光学スキャンモジュール３７を実装し、本実施例中、光学スキャンモジュール３７がＣＣＤ（電荷結合素子）スキャンモジュールである。
【００１５】
殻体３１が第１収容室３１１の上方に載置台３３を設けてなり、該載置台３３は第１収容室３１１と相互に連通する第２収容室３３１を形成し、第２収容室３３１と第１収容室３１１の境界に開口窓３１２を有し、走査線をそれぞれ順に開口窓３１２、ガラスプラットフォーム３５およびスキャン待ちシート２０に通過させる。載置台３３の上端は、上蓋３４を被せてなり、載置台３３と上蓋３４との間は、粘着部材により隔絶材３９を張り合わせてなり、本実施例中、該隔絶材３９はスポンジプラスチック材料であり、粘着部材が両面テープまたはその他の粘着剤であることができる。
【００１６】
本考案中、載置台３３と上蓋３４との間に弾性部材３４１を係止させることができ、載置台３３は四角付近に外向きに係止板３３２を凸伸してなり、上蓋３４の対応箇所に下向きに係止柱３４２を凸伸してなり、弾性部材３４２の一端は、上蓋３４の係止柱３４２中に被せてなり、他端は、載置台３３の係止板３３２上に係止してなる。該弾性部材３４１はバネであることができる。
【００１７】
また、上蓋３４上方中部には、粘着部材によりガラスプラットフォーム３５を粘着固定してなり、ガラスプラットフォーム３５底面に粘着部材で校正ホワイトボード３８を粘着固定してなる。該粘着部材は、両面テープまたは、その他の粘着剤であることができる。上蓋３４上方に外蓋３６を被せ合わせ、外蓋３６はガラスプラットフォーム３５を挟み固定するだけである。
【００１８】
図５，６に示すように、該第２光学スキャン装置４は少なくとも殻体４１、底蓋４２、載置台４３、上蓋４４、ガラスプラットフォーム４５、底蓋４６、光学スキャンモジュール４７および校正ホワイトボード４８等から構成される。そのうち、第２光学スキャン装置４は、第１光学スキャン装置３上方に逆さまに設置され、２つの光学スキャン装置３，４のガラスプラットフォーム３５，４５を対応させ、且つ２つの光学スキャン装置３，４の外蓋３６，４６が相互に一定の距離を隔ててシート経路を形成し、スキャン待ちシート２０を伝送通過させる。
【００１９】
第２光学スキャン装置４が殻体４１の下方に底蓋４２を実装し、殻体４１の底部を密封し、殻体４１内部に第１収容室４１１を有し、第１収容室４１１内に光学スキャンモジュール４７を実装し、本実施例中、光学スキャンモジュール４７はＣＣＤ（電荷結合素子）スキャンモジュールである。
【００２０】
殻体４１は第１収容室４１１の上方に載置台４３を設けてなり、該載置台４３は第１収容室と相互に連通する第２収容室４３１を形成し、第２収容室４３１と第１収容室４１１の境界には開口窓４１２を有し、走査線をそれぞれ順に開口窓４１２、ガラスプラットフォーム４５およびスキャン待ちシート２０に通過させる。載置台４３の上端に上蓋４４を被せ合わせ、載置台４３と上蓋４４との間は、粘着部材で隔絶材４９を張り合わせ、本実施例中、隔絶材４９は、スポンジプラスチック材料であり、粘着部材は、両面テープまたはその他の粘着剤であることができる。
【００２１】
本考案中、載置台４３と上蓋４４との間に弾性部材４４１を係止させることができ、載置台４３は四角付近に外向きに係止板４３２を凸伸してなり、上蓋４４の対応箇所に下向きに係止柱４４２を凸伸してなり、弾性部材４４２の一端は、上蓋４４の係止柱４４２中に被せてなり、他端は、載置台４３の係止板４３２上に係止してなる。該弾性部材４４１はバネであることができる。また、上蓋４４上方中部には、粘着部材によりガラスプラットフォーム４５を粘着固定してなり、ガラスプラットフォーム４５底面に粘着部材で校正ホワイトボード４８を粘着固定してなる。該粘着部材は、両面テープまたは、その他の粘着剤であることができる。上蓋４４上方に外蓋４６を被せ合わせ、外蓋４６はガラスプラットフォーム４５を挟み固定するだけである。
【００２２】
図６に示すように、組み立て時、まずクリーンルームで粘着部材を使用しガラスプラットフォーム３３，４３を殻体上蓋３４，４４上に嵌合粘着固定し、載置台３３，４３と上蓋３４，４４との間は粘着部材で隔絶材３９，４９を張り合わせ、弾性部材３４１，４４１を載置材３３，４３と上蓋３４，４４との間に係止させる。ガラスプラットフォーム３５，４５を上蓋３４，４４と一体に組み立てた後、焦点距離の調整およびイメージホワイトの校正を行うことができ、校正時、第１光学スキャン装置３の走査線は、開口窓３１２、ガラスプラットフォーム３５を通過し、第２光学スキャン装置４のガラスプラットフォーム４５を貫通した後、第２光学スキャン装置４の校正ホワイトボード４８に達し、校正を行う。反対に、第２光学スキャン装置４の走査線も開口窓４１２、ガラスプラットフォーム４５を通過し、第１光学スキャン装置３のガラスプラットフォーム４５を通過した後、第１光学スキャン装置３の校正ホワイトボード３８に達する。
【００２３】
上記のように、本考案の第１、第２実施例中、光学スキャン装置１，２，３，４のガラスプラットフォーム１４，２４，３５，４５と殻体１１，２１，３１，４１はクリーンルーム内で一体に組み立てた後、焦点距離の調整を行うので、光学スキャン装置１，２，３，４全体が、後段の組み立て過程において、塵が入ることが無く、イメージをスキャンする時、塵の影響を受けて、模様が発生する現象が起こることがなく、防塵機能を有する光学スキャン装置１，２，３，４を形成する。校正ホワイトボード１４，２４，３８，４８が直接ガラスプラットフォーム１２，２２，３５，４５底面に粘着固定されるので、光学スキャン装置１，２，３，４全体の両側のシート搬送ローラー間の距離を減少させ、長さが短い書類をスキャンすることができる。
【００２４】
上記のように、本考案の「光学スキャン装置」は考案特許要件に適合し、法に従い特許出願を提出する。但し、以上の記載は、本考案のただ実施例であるだけであり、具体的に実施する時、本考案は多種の変化設計を有し、例えば、弾性部材を設置せず、隔絶材自身の弾性または光学スキャン装置自身の重力関係を利用し、２つの光学スキャン装置の２つの外蓋間のシート経路の上下距離の調整を達成することができる。または、本考案の光学スキャン装置は片面スキャンに応用することもでき、ただ１つの収容室および光学機構等を使用する。なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【００２５】
【図１】従来の両面スキャンの光学機構の説明図である。
【図２】本考案の第１実施例の光学スキャン装置のガラスプラットフォームがまだ殻体上に実装されていない簡易説明図である。
【図３】本考案の第１実施例の光学スキャン装置の簡易動作説明図である。
【図４】本考案の第２実施例の光学スキャン装置の立体外観図である。
【図５】本考案の第２実施例の光学スキャン装置の立体分解図である。
【図６】本考案の第２実施例の光学スキャン装置の簡易動作説明図である。
【符号の説明】
【００２６】
１０，４０  スキャナー
２０ スキャン待ち用紙
１，３ 第１光学スキャン装置
２，４ 第２光学スキャン装置
１１，２１，３１，４１ 殻体
１１１，２１１，３１１，４１１ 第１収容室
１１２，２１２，３３１，４３１ 第２収容室
１１３，２１３，３１２，４１２ 開口窓
１１４，２１４ 嵌合溝
１２，２２，３５，４５  ガラスプラットフォーム
１３，２３，３７，４７  光学スキャンモジュール
１４，２４，３８，４８  校正ホワイトボード
３２，４２ 底板
３３，４３ 載置台
３３２，４３２ 係止板
３４，４４ 上蓋
３４１，４４１ 弾性部材
３４２，４４２ 係止柱
３６，４６ 外蓋
３９，４９  隔絶材
【図１】
0003135791.tif 000003
【図２】
0003135791.tif 000004
【図３】
0003135791.tif 000005
【図４】
0003135791.tif 000006
【図５】
0003135791.tif 000007
【図６】
0003135791.tif 000008